(57)【要約】【課題】特別な設定変更操作などを行うことなく、外部の情報処理装置による制御状態から、本体操作パネル、またはリモコンからの操作による制御に設定変更可能な画像表示装置を提供する。【解決手段】画像表示装置１が、外部の情報処理装置による制御情報により制御される外部制御モードと、画像表示装置１に対する操作により制御される通常モードのいずれかが設定されるモード設定手段２０ｂと、前記制御情報を受け付けてから第１の時間を経過した場合（ステップＳ１０８：Ｙ）に、前記モード設定手段２０ｂに前記通常モードを設定（ステップＳ１０９）する制御手段と、を備える画像表示装置。【選択図】図３
2013080141.tif 000002
【特許請求の範囲】
【請求項１】
外部の情報処理装置によって制御可能な画像表示装置であって、
当該画像表示装置に対する操作を受け付ける操作受付手段と、
前記情報処理装置と通信する通信手段と、
前記通信手段を介し、前記情報処理装置より当該画像表示装置に対する制御情報を受け付ける制御情報受信手段と、
当該画像表示装置が、前記制御情報により制御される外部制御モードと、前記操作により制御される通常モードのいずれかが設定されるモード設定手段と、
前記制御情報を受け付けてから第１の時間を経過した場合に、前記モード設定手段に前記通常モードを設定する制御手段と、
を備えたことを特徴とする、画像表示装置。
【請求項２】
請求項１に記載の画像表示装置であって、
前記第１の時間は、前記制御情報によって設定される、
ことを特徴とする、画像表示装置。
【請求項３】
請求項１または２に記載の画像表示装置であって、
前記制御手段は、前記制御情報を受け付けてから前記第１の時間を経過した場合に、当該画像表示装置の電源をオフする、
ことを特徴とする、画像表示装置。
【請求項４】
外部からの操作を受け付ける操作受付手段と、外部の情報処理装置と通信する通信手段と、制御情報により制御される外部制御モードまたは前記操作により制御される通常モードのいずれかが設定されるモード設定手段と、を有し、前記情報処理装置によって制御可能な画像表示装置の制御方法であって、
前記通信手段を介し、前記情報処理装置より当該画像表示装置に対する制御情報を受け付ける制御情報受信ステップと、
前記制御情報を受け付けてから第１の時間を経過した場合に、前記モード設定手段に前記通常モードを設定する通常モード設定ステップと、
を有することを特徴とする、画像表示装置の制御方法。
【発明の詳細な説明】
【技術分野】
【０００１】
本発明は、画像表示装置および画像表示装置の制御方法に関する。
【背景技術】
【０００２】
画像表示装置（プロジェクター）と、情報処理装置（パーソナルコンピューター：ＰＣ）と、をシリアルケーブルなどで接続して、電源のオン・オフ、入力切替など種々の制御を、ＰＣ側で制御可能とするプロジェクターが知られている。
【０００３】
このようなプロジェクターにおいて、ＰＣによって制御可能な状態となっている場合には、プロジェクターの付属品として備えられているリモートコントローラー（リモコン）での操作、及びプロジェクター本体に設けられている操作パネルでの操作を無効とする機能を有することが好ましい。このように、リモコンでの操作、及び操作パネルでの操作を無効とする機能を有するプロジェクターは種々提案されている（例えば、特許文献１参照）。
【０００４】
特許文献１に記載されているプロジェクターは、リモコン番号切り替え機能を有し、リモコンでの操作を無効とする場合には、リモコン番号を登録番号とは異なる番号に切り替えるなどの設定変更操作を行うことによってリモコンでの操作を無効とすることができる。また、操作パネルでの操作を無効とする場合にも、操作を無効とするための設定変更をユーザーが行うことによって操作パネルでの操作を無効とすることができる。これにより、例えば、ＰＣによってプロジェクターを制御することが可能な状態となっているときは、リモコンでの操作、及び操作パネルでの操作を無効することができる。
【先行技術文献】
【特許文献】
【０００５】
【特許文献１】特開２００９−２３９７２０号公報
【発明の概要】
【発明が解決しようとする課題】
【０００６】
特許文献１に記載されているプロジェクターは、ＰＣによってプロジェクターを制御するために、操作部での操作を無効にした後、ＰＣによるプロジェクターの制御を終了し、操作部での操作をするためには、操作を有効とするための設定変更をユーザーがその都度行わなければならない。特に、プレゼンテーション中などにおいて、このような設定をそのたびに行うことは円滑なプレゼンテーションが行えないといった問題があった。
【課題を解決するための手段】
【０００７】
本発明は、上述の課題の少なくとも一部を解決するためになされたものであり、以下の形態または適用例として実現することが可能である。
【０００８】
［適用例１］本適用例に係る画像表示装置は外部の情報処理装置によって制御可能な画像表示装置であって、当該画像表示装置に対する操作を受け付ける操作受付手段と、前記情報処理装置と通信する通信手段と、前記通信手段を介し、前記情報処理装置より当該画像表示装置に対する制御情報を受け付ける制御情報受信手段と、当該画像表示装置が、前記制御情報により制御される外部制御モードと、前記操作により制御される通常モードのいずれかが設定されるモード設定手段と、前記制御情報を受け付けてから第１の時間を経過した場合に、前記モード設定手段に前記通常モードを設定する制御手段と、を備えたことを特徴とする。
【０００９】
本適用例によれば、情報処理装置からの制御情報を受信してから第１の時間を経過した場合に、モード設定手段に通常モードが設定される。これにより、情報処理装置からの制御プログラムが終了し、制御情報が所定時間（第１の時間）を経過しても送られてこなくなった場合、自動的に外部制御モードから通常モードに設定変更されるので、ユーザーが設定変更操作を行うことなく、画像表示装置の操作受付手段の操作を有効にすることが可能となる。
【００１０】
［適用例２］上記適用例に記載の画像表示装置において、前記第１の時間は、前記制御情報によって設定される、ことを特徴とする。
【００１１】
本適用例によれば、画像表示装置が制御情報を受信してから通常モードに切り替えるまでの待ち時間（第１の時間）を情報処理装置からの制御情報で設定できる。これにより、情報処理装置の制御プログラムによる制御情報の送信間隔に対して第１の時間が短く、画像表示装置が、情報処理装置からの制御情報が来る前に通常モードに切り替えてしまうことを防止できる。
【００１２】
［適用例３］上記適用例に記載の画像表示装置において、前記制御手段は、前記制御情報を受け付けてから前記第１の時間を経過した場合に、当該画像表示装置の電源をオフする、ことを特徴とする。
【００１３】
本適用例によれば、画像表示装置が制御情報を受信してから第１の時間を経過した場合、画像表示装置の電源をオフすることができるので、デモンストレーションなどで画像表示装置を使用中に、情報処理装置側の制御が終了した場合、または情報処理装置に何らかの異常が発生した場合など、第１の時間が経過しても、制御情報が送られてこない場合に、画像表示装置の電源を自動的にオフすることが可能となる。
【００１４】
［適用例４］本適用例に係る画像表示装置の制御方法は、外部からの操作を受け付ける操作受付手段と、外部の情報処理装置と通信する通信手段と、制御情報により制御される外部制御モードまたは前記操作により制御される通常モードのいずれかが設定されるモード設定手段と、を有し、前記情報処理装置によって制御可能な画像表示装置の制御方法であって、前記通信手段を介し、前記情報処理装置より当該画像表示装置に対する制御情報を受け付ける制御情報受信ステップと、前記制御情報を受け付けてから第１の時間を経過した場合に、前記モード設定手段に前記通常モードを設定する通常モード設定ステップと、を有することを特徴とする。
【００１５】
本適用例によれば、情報処理装置からの制御情報を受信してから第１の時間を経過した場合に、モード設定手段に通常モードが設定される。これにより、情報処理装置からの制御プログラムが終了し、制御情報が所定時間送られてこなくなった場合、自動的に外部制御モードから通常モードに設定変更されるので、ユーザーが設定変更操作を行うことなく、画像表示装置の操作受付手段の操作を有効にすることが可能となる。
【図面の簡単な説明】
【００１６】
【図１】プロジェクターの外部制御を説明する図。
【図２】プロジェクターの回路構成を示すブロック図。
【図３】プロジェクターが外部からの制御情報を検出したときの動作を示すフローチャート。
【図４】プロジェクターが操作信号を受け付けたときの動作を示すフローチャート。
【発明を実施するための形態】
【００１７】
以下、添付図面を参照して本発明に係る画像表示装置の一実施形態であるプロジェクターについて説明するが、以下の実施形態は特許請求の範囲にかかる発明を限定するものではなく、また、実施形態における特徴の組み合わせの全てが発明の解決手段に必須であるとは限らない。
【００１８】
（第１実施形態）
図１は、本実施形態のプロジェクター１の外部制御を説明するために示す図である。図１に示すように、プロジェクター１は、情報処理装置としてのパーソナルコンピューター（ＰＣとも称する）２００と、通信ケーブル３００を介して通信を行うようになっている。
【００１９】
通信ケーブル３００は、プロジェクター１とＰＣ２００を双方向に通信することができるように接続するものであり、ＲＳ−２３２Ｃケーブル等を使用することができる。
なお、本実施形態において、プロジェクター１とＰＣ２００との間の通信は、通信ケーブル３００による有線方式を示したが、無線方式であってもよい。
【００２０】
プロジェクター１は、プロジェクター１の付属品として備えられているリモートコントローラー（リモコン，ＲＣとも称する）２５上での操作、又はプロジェクター１の筐体に設けられた入力操作手段２３での操作によって、電源のオン・オフ、入力切替など種々の制御を行うことができる。
このようにプロジェクター１が操作により制御される状態を通常モードと称する。
【００２１】
ＰＣ２００は、プロジェクター１を制御するプロジェクター制御部２１０を有している。プロジェクター制御部２１０は、プロジェクター１を制御するための制御プログラムを有している。これによって、プロジェクター１の電源のオン・オフ、入力切替など種々の制御は、通信手段を介してＰＣ２００側からの制御情報により行うことができるようになっている。
このようにプロジェクター１が制御情報により制御される状態を外部制御モードと称する。
【００２２】
図２は、本実施形態のプロジェクター１の回路構成を示すブロック図である。
図２に示すように、プロジェクター１は、画像信号処理手段３、ＯＳＤ処理手段４、画像入力選択手段５、画像入力端子６、画像投写手段１０、制御手段２０、記憶手段２１、光源制御手段２２、入力操作手段２３、操作信号受信手段２４、通信手段３０、制御情報受信手段３１、電源部４０、電源端子４１等で構成されており、これらは図示しない筐体の内部に収容されている。
【００２３】
画像投写手段１０は、光源１１、光変調装置としての３つの液晶ライトバルブ１２Ｒ、１２Ｇ、１２Ｂ、投写光学系としての投写レンズ１３、液晶駆動手段１４等を含んでいる。画像投写手段１０は、光源１１から射出された光を、液晶ライトバルブ１２Ｒ、１２Ｇ、１２Ｂで変調して画像光を形成し、この画像光を投写レンズ１３から投写することによってスクリーンＳＣ等に画像を表示する。
【００２４】
光源１１は、超高圧水銀ランプやメタルハライドランプ等からなる放電型の光源ランプ１１ａと、光源ランプ１１ａが放射した光を液晶ライトバルブ１２Ｒ、１２Ｇ、１２Ｂ側に反射するリフレクター１１ｂとを含んで構成されている。光源１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ、１２Ｇ、１２Ｂに入射する。
【００２５】
液晶ライトバルブ１２Ｒ、１２Ｇ、１２Ｂは、一対の透明基板間に液晶が封入された液晶パネル等によって構成される。液晶ライトバルブ１２Ｒ、１２Ｇ、１２Ｂには、マトリックス状に配列された複数の画素（図示せず）が形成されており、液晶に対して画素毎に駆動電圧を印加可能になっている。液晶駆動手段１４が、入力される画像情報に応じた駆動電圧を各画素に印加すると、各画素は、画像情報に応じた光透過率に設定される。
【００２６】
このため、光源１１から射出された光は、この液晶ライトバルブ１２Ｒ、１２Ｇ、１２Ｂを透過することによって変調され、画像情報に応じた画像光が色光毎に形成される。形成された各色の画像光は、図示しない色合成光学系によって画素毎に合成されてカラーの画像光となった後、投写レンズ１３によってスクリーンＳＣ等に拡大投写される。
【００２７】
本実施形態では、光源１１として光源ランプ１１ａを用いて投写するプロジェクター１を例示したが、本発明は光源としてＬＥＤ（Light Emitting Diode）光源やレーザー光源などを用いて投写するプロジェクターにも適用することができる。また、画像投写手段１０では、光源１１、光変調装置としての３つの液晶ライトバルブ１２Ｒ、１２Ｇ、１２Ｂを用いた透過型液晶方式の投写光学系を例示したが、反射型液晶表示方式やマイクロミラーデバイス方式（ライトスイッチ表示方式）など、他の表示方式の光変調装置を採用しても良い。
【００２８】
制御手段２０は、ＣＰＵ（Central Processing Unit）や、各種データ等の一時記憶に用いられるＲＡＭ（Random Access Memory）等を備え、記憶手段２１に記憶されている制御プログラム（図示せず）に従って動作することによりプロジェクター１の動作を統括制御する。つまり、制御手段２０は、記憶手段２１とともにコンピューターとして機能する。
【００２９】
本実施形態において制御手段２０は、時間を計時するタイマー２０ａと、モード設定手段２０ｂを含み構成される。
モード設定手段２０ｂは、プロジェクター１が、制御情報受信手段３１が受け付けた制御情報（制御コマンド）により制御される外部制御モードか、入力操作手段２３またはリモコン２５の操作（操作信号）により制御される通常モードのいずれかが設定される。
【００３０】
記憶手段２１は、図示しないフラッシュメモリーやＦｅＲＡＭ（Ferroelectric RAM：強誘電体メモリー）等の書き換え可能な不揮発性のメモリーにより構成されている。記憶手段２１には、プロジェクター１の動作を制御するための制御プログラムや、プロジェクター１の動作条件等を規定する各種設定データ等が記憶されている。
本実施形態では記憶手段２１は、制御コマンドを受信しなかったときに電源をオフする設定時にセットされる自動電源オフフラグ２１ａを備える。自動電源オフフラグ２１ａは、後述する設定メニューから、または外部情報処理装置からの制御コマンドによってセット、クリアされる。
【００３１】
入力操作手段２３は、プロジェクター１の筐体外面に備えられ、ユーザーからのプロジェクター１に対する操作を受け付けるものであり、ユーザーが各種指示を行うための複数の操作キーを備えている。
【００３２】
入力操作手段２３が備える操作キーとしては、電源のオン・オフを交互に切り替えるための電源キーや、画像入力選択手段５により複数の画像入力端子６のうちいずれかの入力に切り替えるための入力切替キー、各種設定を行うための設定メニューを重畳表示させるメニューキー、設定メニューからユーザーが設定項目を選択するカーソルキー、決定キー、エスケープキー、ヘルプキー等がある。
ユーザーが入力操作手段２３の各種操作キーを操作すると、入力操作手段２３は、ユーザーの操作内容に応じた操作信号を制御手段２０に出力する。
【００３３】
操作信号受信手段２４は、ユーザーがプロジェクター１に対して遠隔操作を行うリモコン２５からの操作信号を受信し、ユーザーの操作内容を制御手段２０に出力する。
リモコン２５が備える操作キーとしては、入力操作手段２３と同等な電源キー、入力切替キー、メニューキー、カーソルキー、決定キー、エスケープキー、ヘルプキーに加え、画面ミュートキー、カラーモード切替キー、番号入力キー等がある。
本実施形態においては、入力操作手段２３、リモコン２５、および操作信号受信手段２４が、操作受付手段に相当する。
【００３４】
通信手段３０は、通信ケーブル３００を介して、ＰＣ２００との間で双方向通信を行う。
【００３５】
制御情報受信手段３１は、通信手段３０を介して、ＰＣ２００からの制御情報（制御コマンド）を受信し、制御手段２０に通知する。ＰＣ２００からの制御コマンドとしてはプロジェクター１の電源オン・オフ、入力切替、各種モード設定コマンドなどがある。
その中で、コマンド待ち時間設定コマンドは、本実施形態においてコマンド待ち時間でもある第１の時間Ｔ１を設定するものであり、最後に制御コマンドを受信してから第１の時間Ｔ１を経過した場合、モード設定手段２０ｂは外部制御モードから通常モードに設定変更する。
【００３６】
複数の画像入力端子６には、図示しない外部の画像供給装置から、各種形式の画像信号が入力され、入力された画像信号は、画像入力選択手段５に供給される。
【００３７】
画像入力選択手段５は、複数の画像入力端子６のうち、制御手段２０の指示に基づく一の画像入力端子６を選択し、一の画像入力端子６に入力される画像信号を、画像信号処理手段３に出力する。ユーザーが、入力操作手段２３に備わる入力切替キーを操作して所望の一の画像入力端子６を指定すると、制御手段２０は、一の画像入力端子６に入力される画像信号が画像信号処理手段３に出力されるよう、画像入力選択手段５に指示をする。
【００３８】
画像信号処理手段３は、画像入力選択手段５から入力される画像信号を、液晶ライトバルブ１２Ｒ、１２Ｇ、１２Ｂの各画素の階調を表す画像データに変換する。ここで、変換された画像データは、Ｒ，Ｇ，Ｂの色光別になっており、各液晶ライトバルブ１２Ｒ、１２Ｇ、１２Ｂのすべての画素に対応する複数の画素値によって構成されている。画素値とは、対応する画素の光透過率を定めるものであり、この画素値によって、各画素を透過し射出する光の強弱（階調）が規定される。
また、画像信号処理手段３は、制御手段２０の指示に基づき、変換した画像データに対して、明るさ、コントラスト、シャープネス、色合い等を調整するための画質調整処理等を行い、処理後の画像データをＯＳＤ処理手段４に出力する。
【００３９】
ＯＳＤ処理手段４は、制御手段２０の指示に基づいて、投写画像上に、設定メニュー画像やメッセージ画像等のＯＳＤ（オンスクリーンディスプレイ）画像を重畳して表示するための処理を行う。ＯＳＤ処理手段４は、図示しないＯＳＤメモリーを備えており、ＯＳＤ画像を形成するための図形やフォント等を表すＯＳＤ画像情報を記憶している。
制御手段２０が、ＯＳＤ画像の重畳表示を指示すると、ＯＳＤ処理手段４は、必要なＯＳＤ画像情報をＯＳＤメモリーから読み出し、投写画像上の所定の位置にＯＳＤ画像が重畳されるように、画像信号処理手段３から入力される画像情報にこのＯＳＤ画像情報を合成する。ＯＳＤ画像情報が合成された画像情報は、液晶駆動手段１４に出力される。
なお、制御手段２０からＯＳＤ画像を重畳する旨の指示がない場合には、ＯＳＤ処理手段４は、画像信号処理手段３から入力される画像情報を、そのまま液晶駆動手段１４に出力する。
【００４０】
液晶駆動手段１４は、ＯＳＤ処理手段４から入力される画像情報に従って液晶ライトバルブ１２Ｒ、１２Ｇ、１２Ｂを駆動すると、液晶ライトバルブ１２Ｒ、１２Ｇ、１２Ｂは、画像情報に応じた画像を形成し、この画像が投写レンズ１３からスクリーンＳＣに投写される。
【００４１】
光源制御手段２２は、制御手段２０の指示に基づいて、光源１１に対する電力の供給と停止を制御し、光源１１の点灯、及び消灯を切り替える。
【００４２】
電源部４０は、例えば、ＡＣ１００Ｖ等の商用電源などに接続される電源端子４１を介して、外部より電力が供給される。電源部４０は、入力した電力を所定の直流電力に変換して、プロジェクター１の各部に電力を供給する。また、電源部４０は、制御手段２０の指示に基づいて、画像の投写に必要な電力（動作電力）を各部に供給する状態（電源オン状態）と、動作電力の供給を停止して、電源をオンにするための操作を待機する状態（スタンバイ状態）とを切り替えることができる。
【００４３】
次に、本実施形態のプロジェクター１の動作を図３、および図４のフローチャートを用いて説明する。
【００４４】
（プロジェクター１が外部からの制御情報を検出した場合）
図３に示すように、プロジェクター１が外部からの制御情報を検出した場合（ステップＳ１０１）、モード設定手段２０ｂを外部制御モードに設定し（ステップＳ１０２）、ステップＳ１０３に遷移する。外部制御モードに設定する方法としては、設定メニューからの操作、入力操作手段２３またはリモコン２５の特定キーの組み合わせ操作などもある。
【００４５】
ステップＳ１０３において制御手段２０はタイマー２０ａによる計時を開始し、ステップＳ１０４に遷移する。
【００４６】
ステップＳ１０４において制御手段２０は、制御情報受信手段３１から制御情報（制御コマンド）を受信したか否かを調べる。制御コマンドを受信している場合（ステップＳ１０４：Ｙ）、ステップＳ１０５に遷移する。制御コマンドを受信していな場合（ステップＳ１０４：Ｎ）、ステップＳ１０８に遷移する。ステップＳ１０４が制御情報受信ステップに相当する。
【００４７】
ステップＳ１０５において制御手段２０は、ステップＳ１０４において受信した制御コマンドが、コマンド待ち時間設定コマンドであるか否かを調べる。受信した制御コマンドがコマンド待ち時間設定コマンドである場合（ステップＳ１０５：Ｙ）、ステップＳ１０７に遷移する。コマンド待ち時間設定コマンドでない場合（ステップＳ１０５：Ｎ）、ステップＳ１０６に遷移する。
【００４８】
ステップＳ１０６において制御手段２０は、ステップＳ１０４において受信した制御コマンドの処理を実行し、ステップＳ１０３に遷移する。
【００４９】
ステップＳ１０７において制御手段２０は、ステップＳ１０４において受信した、コマンド待ち時間設定コマンドに基づき、第１の時間Ｔ１の値を設定（変更）し、ステップＳ１０３に遷移する。
【００５０】
ステップＳ１０８において制御手段２０はタイマー２０ａによる計時が第１の時間Ｔ１を経過したか否かを調べる。タイマー２０ａが第１の時間Ｔ１を経過した場合（ステップＳ１０８：Ｙ）、ステップＳ１０９に遷移する。タイマー２０ａが第１の時間Ｔ１を経過していない場合（ステップＳ１０８：Ｎ）、ステップＳ１０４に遷移する。
ここで、第１の時間Ｔ１は上述したようにコマンド待ち時間であり、初期状態では例えば１分に設定されているものであり、ステップＳ１０７で説明したようにコマンド待ち時間設定コマンドにより設定を変更することが可能である。
【００５１】
ステップＳ１０９において、モード設定手段２０ｂを通常モードに設定し、ステップＳ１１０に遷移する。ステップＳ１０９が通常モード設定ステップに相当する。なお、ステップＳ１０３からステップＳ１０８の間はモード設定手段２０ｂが外部制御モードに設定されているため、入力操作手段２３およびリモコン２５の入力操作は受け付けない。
【００５２】
ステップＳ１１０において制御手段２０は、自動電源オフフラグ２１ａがセットされているか否かを調べる。自動電源オフフラグ２１ａがセットされている場合（ステップＳ１１０：Ｙ）、ステップＳ１１２に遷移する。自動電源オフフラグ２１ａがセットされていない場合（ステップＳ１１０：Ｎ）、ステップＳ１１１に遷移する。
【００５３】
ステップＳ１１１において本動作フローを終了する。
【００５４】
ステップＳ１１２において、制御手段２０はプロジェクター１の電源をオフし、スタンバイ状態に移行させる。
【００５５】
（プロジェクター１が操作信号を受け付けた場合）
図４に示すように、プロジェクター１が入力操作手段２３、またはリモコン２５による操作信号受信手段２４の操作信号を受け付けた場合（ステップＳ２０１）、制御手段２０はモード設定手段２０ｂが通常モードに設定されているか否かを調べる（ステップＳ２０２）。モード設定手段２０ｂが通常モードに設定されている場合（ステップＳ２０２：Ｙ）、ステップＳ２０３に遷移する。モード設定手段２０ｂが通常モードに設定されていない、即ち外部制御モードに設定されている場合（ステップＳ２０２：Ｎ）、ステップＳ２０４に遷移する。
【００５６】
ステップＳ２０３において、制御手段２０はステップＳ２０１において受け付けた操作信号に基づく処理を実行し、ステップＳ２０４に遷移する。
【００５７】
ステップＳ２０４において本動作フローを終了する。
【００５８】
以上説明したように、本実施形態のプロジェクター１によれば、ＰＣ２００からの制御情報を受信してから第１の時間Ｔ１を経過した場合にモード設定手段２０ｂが外部制御モードから通常モードに設定される。これにより、ＰＣ２００の制御プログラムが終了し、制御情報が第１の時間Ｔ１の間送られてこなくなった場合、自動的にモード設定手段２０ｂが外部制御モードから通常モードに設定変更されるので、ユーザーが設定変更操作を行うことなく、プロジェクター１の入力操作手段２３、およびリモコン２５による操作を有効にすることが可能となる。
【００５９】
また、プロジェクター１が制御情報を受信してから通常モードに切り替えるまでの待ち時間（第１の時間Ｔ１）をＰＣ２００からの制御情報で設定できる。これにより、ＰＣ２００の制御プログラムによる制御情報の送信間隔に対して第１の時間Ｔ１が短く、プロジェクター１が、ＰＣ２００からの制御情報が来る前にモード設定手段２０ｂを通常モードに切り替えてしまうことを防止できる。
【００６０】
また、プロジェクター１が制御情報を受信してから第１の時間Ｔ１を経過したときに、プロジェクター１の電源をオフすることができるので、デモンストレーションなどでプロジェクター１を使用中に、ＰＣ２００の制御が終了した場合、またはＰＣ２００に何らかの異常が発生した場合など、制御情報が第１の時間Ｔ１の間送られてこなくなったときプロジェクター１の電源を自動的にオフすることが可能となる。
【００６１】
また、上記実施形態は、以下のように変更してもよい。
（変形例１）
本実実施形態では、外部からの制御情報を検出したときに、モード設定手段２０ｂが直ちに外部制御モードに設定されるが、入力操作手段２３またはリモコン２５による操作を検出しない状態が所定の第２の時間Ｔ２の間継続した後で、モード設定手段２０ｂが外部制御モードに設定されるようにしてもよい。
これにより、ユーザーが入力操作手段２３またはリモコン２５での操作中に、モード設定手段２０ｂが外部制御モードに設定され、入力中の操作が以後、受け付けられなくなるのを防止することができる。
【符号の説明】
【００６２】
１…プロジェクター、３…画像信号処理手段、４…ＯＳＤ処理手段、５…画像入力選択手段、６…画像入力端子、１０…画像投写手段、１１…光源、１２Ｒ，１２Ｇ，１２Ｂ…液晶ライトバルブ、１３…投写レンズ、１４…液晶駆動手段、２０…制御手段、２０ａ…タイマー、２０ｂ…モード設定手段、２１…記憶手段、２１ａ…自動電源オフフラグ、２２…光源制御手段、２３…入力操作手段、２４…操作信号受信手段、２５…リモートコントローラー（リモコン／ＲＣ）、３０…通信手段、３１…制御信号受信手段、４０…電源部、４１…電源端子、２００…ＰＣ（情報処理装置）、２１０…プロジェクター制御部、３００…通信ケーブル。
【図１】
2013080141.tif 000003
【図２】
2013080141.tif 000004
【図３】
2013080141.tif 000005
【図４】
2013080141.tif 000006